(57)【要約】  電気ケーブルは、中心の長手方向の軸を定めているケーブル外被と、ケーブル外被の中で長手方向に向きを定められた複数の絶縁された導体のツイストペアとを備えている。絶縁された導体のツイストペアの各々は、幅を有している。フィラーエレメントは、ケーブル外被の中に配置され、かつ絶縁された導体のツイストペアのうちの少なくとも１組に隣接した位置に配置されている。フィラーエレメントは、絶縁された導体のツイストペアの各々の幅より大きい幅を有していてもよい。フィラーエレメントは、ケーブル外被の中心の長手方向の軸から横にオフセットされた中心軸を有している。フィラーエレメントは、隣接するケーブルからの異質のクロストークを減らす。セパレータが、ケーブル外被の中の絶縁された導体のツイストペア間に配置されていてもよく、絶縁された導体のツイストペア間でのクロストークを減らす。
2008524800.tif 000002
【特許請求の範囲】
【請求項１】
電気ケーブルにおいて、
中心の長手方向の軸を定めているケーブル外被と、
前記ケーブル外被の中で長手方向に向きを定められた複数の絶縁された導体のツイストペアとを備えていて、前記絶縁された導体の各々は、幅を定めていて、かつ前記複数の絶縁された導体のツイストペアは、芯を形成している少なくとも３組の絶縁された導体のツイストペアを含んでいて、
さらに、前記ケーブル外被の中に配置され、かつ、前記絶縁された導体のツイストペアのうちの少なくとも１組に隣接し、かつ前記ケーブル外被の一部分に隣接した位置に配置されたフィラーエレメントを備えていて、絶縁された導体のツイストペアは、前記ケーブル外被の一部分と前記フィラーエレメントとの間には配置されておらず、前記フィラーエレメントは、前記絶縁された導体の各々の幅より大きい幅を定めていて、前記フィラーエレメントは、前記ケーブル外被の中心の長手方向の軸から横にオフセットされた中心軸を有していて、前記フィラーエレメントは、前記芯のまわりに巻きつけられていて、かつ前記フィラーエレメントは、いかなる絶縁された導体のツイストペアも有していない
ことを特徴とする電気ケーブル。
【請求項２】
前記ケーブル外被は、前記中心の長手方向の軸を横切る断面が実質的に円形ではない外周を定めている
ことを特徴とする請求項１に記載の電気ケーブル。
【請求項３】
前記外周は、前記中心の長手方向の軸を横切る断面が実質的に楕円である
ことを特徴とする請求項２に記載の電気ケーブル。
【請求項４】
前記外周は、第１および第２の部分を有していて、前記第１の部分は前記第２の部分より大きいので、前記外周は均一ではない
ことを特徴とする請求項２に記載の電気ケーブル。
【請求項５】
前記複数の絶縁された導体のツイストペアは、前記第１の部分の中に配置され、前記フィラーエレメントは、前記第２の部分の中に配置されている
ことを特徴とする請求項４に記載の電気ケーブル。
【請求項６】
前記外周は、第３の部分を有していて、前記第１の部分は前記第３の部分より大きい
ことを特徴とする請求項４に記載の電気ケーブル。
【請求項７】
前記第１の部分は、前記第２および第３の部分の間に配置されている
ことを特徴とする請求項６に記載の電気ケーブル。
【請求項８】
前記複数の絶縁された導体のツイストワイヤペアは、前記第１の部分の中に配置されていて、
前記フィラーエレメントは、前記第２の部分の中に配置されていて、
第２のフィラーエレメントが、前記第３の部分の中に配置されている
ことを特徴とする請求項６に記載の電気ケーブル。
【請求項９】
第２のフィラーエレメントが、前記ケーブル外被の中に配置されている
ことを特徴とする請求項１に記載の電気ケーブル。
【請求項１０】
前記第２のフィラーエレメントは、前記ケーブル外被の前記中心の長手方向の軸から横にオフセットされた中心軸を有していて、
前記第２のフィラーエレメントは、前記絶縁された導体の各々の幅より大きい幅を定めている
ことを特徴とする請求項９に記載の電気ケーブル。
【請求項１１】
前記フィラーエレメントは、前記中心軸を横切る断面が実質的に円形である
ことを特徴とする請求項１に記載の電気ケーブル。
【請求項１２】
前記フィラーエレメントの幅は、前記絶縁された導体の各々の幅の約２倍である
ことを特徴とする請求項１に記載の電気ケーブル。
【請求項１３】
前記ケーブル外被は、前記中心の長手方向の軸のまわりに巻きつけられている
ことを特徴とする請求項１に記載の電気ケーブル。
【請求項１４】
前記フィラーエレメントは、誘電材料でできている
ことを特徴とする請求項１に記載の電気ケーブル。
【請求項１５】
前記フィラーエレメントは、導電性の芯を有している
ことを特徴とする請求項１に記載の電気ケーブル。
【請求項１６】
電気ケーブルにおいて、
中心の長手方向の軸および実質的に円形ではない外周を定めているケーブル外被と、
前記ケーブル外被の中で長手方向に向きを定められた複数の絶縁された導体のツイストペアとを備えていて、前記絶縁された導体の各々は、幅を定めていて、前記複数の絶縁された導体のツイストペアは、芯を形成している少なくとも３組の絶縁された導体のツイストペアを含んでいて、
さらに、前記ケーブル外被の中に配置され、かつ、前記絶縁された導体のツイストペアのうちの少なくとも１組に隣接し、かつ前記ケーブル外被の一部分に隣接した位置に配置されたフィラーエレメントを備えていて、絶縁された導体のツイストペアは、前記ケーブル外被の一部分と前記フィラーエレメントとの間には配置されておらず、前記フィラーエレメントは、前記ケーブル外被の中心の長手方向の軸から横にオフセットされた中心軸を有していて、前記フィラーエレメントは、前記中心軸を横切る断面が実質的に円形であって、かつ前記絶縁された導体の各々の幅より大きい直径を定めていて、前記フィラーエレメントは、前記芯のまわりに巻きつけられていて、かつ前記フィラーエレメントは、いかなる絶縁された導体のツイストペアも有していない
ことを特徴とする電気ケーブル。
【請求項１７】
前記外周は、前記中心の長手方向の軸を横切る断面が実質的に楕円である
ことを特徴とする請求項１６に記載の電気ケーブル。
【請求項１８】
前記外周は、実質的に均一ではない
ことを特徴とする請求項１６に記載の電気ケーブル。
【請求項１９】
前記ケーブル外被は、第１および第２の部分を有していて、
前記第１の部分は、前記複数のツイストワイヤペアを支持していて、かつ前記第２の部分は、前記フィラーエレメントを支持していて、
前記第１の部分は、前記第２の部分より実質的に大きい
ことを特徴とする請求項１８に記載の電気ケーブル。
【請求項２０】
前記フィラーエレメントは、誘電材料でできている
ことを特徴とする請求項１６に記載の電気ケーブル。
【請求項２１】
前記フィラーエレメントは、導電性の芯を有している
ことを特徴とする請求項１６に記載の電気ケーブル。
【請求項２２】
第２のフィラーエレメントが、前記ケーブル外被の中に配置されていて、
前記第２のフィラーエレメントは、前記ケーブル外被の前記中心の長手方向の軸から横にオフセットされた中心軸を有していて、
前記第２のフィラーエレメントは、前記絶縁された導体の各々の幅より大きい
ことを特徴とする請求項１６に記載の電気ケーブル。
【請求項２３】
電気ケーブルにおいて、
中心の長手方向の軸を定めているケーブル外被と、
前記ケーブル外被の中で長手方向に向きを定められた複数の絶縁された導体のツイストペアとを備えていて、前記絶縁された導体の各々は、幅を定めていて、かつ前記複数の絶縁された導体のツイストペアは、芯を形成している少なくとも３組の絶縁された導体のツイストペアを含んでいて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、前記絶縁された導体の各々の幅より大きい幅を定めていて、前記フィラーエレメントは、前記ケーブル外被の中心の長手方向の軸から横にオフセットされた中心軸を有していて、かつ前記フィラーエレメントは、前記芯のまわりに巻きつけられている
ことを特徴とする電気ケーブル。
【請求項２４】
電気ケーブルにおいて、
中心の長手方向の軸を定めているケーブル外被と、
前記ケーブル外被の中で長手方向に向きを定められた複数の絶縁された導体のツイストペアとを備えていて、かつ前記複数の絶縁された導体のツイストペアは、芯を形成している少なくとも３組の絶縁された導体のツイストペアを含んでいて、
さらに、前記ケーブル外被の中に配置され、かつ、前記絶縁された導体のツイストペアのうちの少なくとも１組に隣接し、かつ前記ケーブル外被の一部分に隣接した位置に配置されたフィラーエレメントを備えていて、絶縁された導体のツイストペアは、前記ケーブル外被の一部分と前記フィラーエレメントとの間には配置されておらず、前記フィラーエレメントは、前記ケーブル外被の中心の長手方向の軸から横にオフセットされた中心軸を有していて、前記フィラーエレメントは、前記芯のまわりに巻きつけられていて、かつ前記フィラーエレメントは、いかなる絶縁された導体のツイストペアも有していない
ことを特徴とする電気ケーブル。
【請求項２５】
前記ケーブル外被の外周は、円形ではない
ことを特徴とする請求項２４に記載の電気ケーブル。
【請求項２６】
前記フィラーエレメントは、前記ケーブル外被の前記中心軸を横切る断面が実質的に円形である
ことを特徴とする請求項２４に記載の電気ケーブル。
【請求項２７】
電気ケーブルにおいて、
中心の長手方向の軸を定めているケーブル外被と、
前記ケーブル外被の中で長手方向に向きを定められた複数の絶縁された導体のツイストペアとを備えていて、前記絶縁された導体のツイストペアの各々は、幅を定めていて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、各前記絶縁された導体のツイストペアの幅より実質的に大きい幅を定めていて、前記フィラーエレメントは、前記ケーブル外被の中心の長手方向の軸から横にオフセットされた中心軸を有していて、前記フィラーエレメントは、隣接するケーブルからの異質のクロストークを減らし、
さらに、前記ケーブル外被の中の前記絶縁された導体のツイストペア間に配置された少なくとも１つのセパレータを備えていて、前記絶縁された導体のツイストペア間でのクロストークを減らす
ことを特徴とする電気ケーブル。
【請求項２８】
前記複数の絶縁された導体のツイストペアは、第１、第２、第３および第４の絶縁された導体のツイストペアを含んでいて、
前記セパレータは、前記第１および第２の絶縁された導体のツイストペア間に配置されている
ことを特徴とする請求項２７に記載の電気ケーブル。
【請求項２９】
第２のセパレータが、前記ケーブル外被の中の前記第２および第３の絶縁された導体のツイストペア間に配置されている
ことを特徴とする請求項２８に記載の電気ケーブル。
【請求項３０】
第３のセパレータが、前記ケーブル外被の中の前記第１および第４の絶縁された導体のツイストペア間に配置されている
ことを特徴とする請求項２９に記載の電気ケーブル。
【請求項３１】
前記セパレータは、実質的にまっすぐか、または実質的に曲がっている
ことを特徴とする請求項２７に記載の電気ケーブル。
【請求項３２】
前記ケーブル外被は、前記中心の長手方向の軸を横切る断面が実質的に円形ではない外周を定めている
ことを特徴とする請求項２７に記載の電気ケーブル。
【請求項３３】
第２のフィラーエレメントが、前記ケーブル外被の中に配置されていて、
前記第２のフィラーエレメントは、前記ケーブル外被の前記中心の長手方向の軸から横にオフセットされた中心軸を有していて、
前記第２のフィラーエレメントは、前記絶縁された導体のツイストペアの各々の幅より実質的に大きい幅を定めている
ことを特徴とする請求項２７に記載の電気ケーブル。
【請求項３４】
前記フィラーエレメントの幅は、前記複数の絶縁された導体のツイストペアの各々の幅の約２倍である
ことを特徴とする請求項２７に記載の電気ケーブル。
【請求項３５】
電気ケーブルにおいて、
中心の長手方向の軸および実質的に円形ではない外周を定めているケーブル外被と、
前記ケーブル外被の中で長手方向に向きを定められた第１、第２、第３および第４の絶縁された導体のツイストペアとを備えていて、前記絶縁された導体の各々は、幅を定めていて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、前記ケーブル外被の中心の長手方向の軸から横にオフセットされた中心軸を有していて、前記フィラーエレメントは、前記中心軸を横切る断面が実質的に円形であって、かつ前記絶縁された導体の各々の幅より大きい直径を定めていて、前記フィラーエレメントは、隣接するケーブルからの異質のクロストークを減らし、前記第１、第２、第３および第４の絶縁された導体のツイストペアは、共に撚り合わされていて、かつ前記フィラーエレメントは、前記第１、第２、第３および第４の絶縁された導体のツイストペアのまわりに巻きつけられていて、かつ前記第１、第２、第３および第４の絶縁された導体のツイストペアおよび前記フィラーエレメントのツイスト撚り長さは、ケーブルの長さ方向に沿って変化し、
さらに、前記ケーブル外被の中の前記第１および第２の絶縁された導体のツイストペア間に配置された第１のセパレータを備えていて、前記絶縁された導体のツイストペア間でのクロストークを減らす
ことを特徴とする電気ケーブル。
【請求項３６】
第２のセパレータが、前記ケーブル外被の中の前記第２および第３の絶縁された導体のツイストペア間に配置されていて、
第３のセパレータが、前記ケーブル外被の中の前記第１および第４の絶縁された導体のツイストペア間に配置されている
ことを特徴とする請求項３５に記載の電気ケーブル。
【請求項３７】
前記第１のセパレータは、実質的にまっすぐであり、
前記第２および第３のセパレータの各々は、実質的に曲がっている
ことを特徴とする請求項３６に記載の電気ケーブル。
【請求項３８】
前記第１、第２、および第３のセパレータの各々は、ポリマーテープでできている
ことを特徴とする請求項３６に記載の電気ケーブル。
【請求項３９】
前記外周は、実質的に均一ではない
ことを特徴とする請求項３５に記載の電気ケーブル。
【請求項４０】
前記ケーブル外被は、第１および第２の部分を有していて、
前記第１の部分は、前記第１、第２、第３および第４の絶縁された導体のツイストペアを支持していて、かつ前記第２の部分は、前記フィラーエレメントを支持していて、
前記第１の部分は、前記第２の部分より実質的に大きい
ことを特徴とする請求項３５に記載の電気ケーブル。
【請求項４１】
前記フィラーエレメントは、誘電材料でできている
ことを特徴とする請求項３５に記載の電気ケーブル。
【請求項４２】
前記フィラーエレメントは、導電性の芯を有している
ことを特徴とする請求項３５に記載の電気ケーブル。
【請求項４３】
電気ケーブルにおいて、
長さおよび長さ方向に沿った長手方向の軸を定めているケーブル外被と、
前記ケーブル外被の中で長手方向に向きを定められた複数の絶縁された導体のツイストペアとを備えていて、前記複数の絶縁された導体のツイストペアは、撚り合わされていて、螺旋の芯を形成し、第１の撚り長さを定めていて、
さらに、前記ケーブル外被の中に配置され、かつ前記螺旋の芯に巻きつけられているフィラーエレメントを備えていて、前記フィラーエレメントは、前記螺旋の芯の前記第１の撚り長さとは異なる第２の撚り長さを定めている
ことを特徴とする電気ケーブル。
【請求項４４】
前記フィラーエレメントは、前記絶縁された導体の各々によって定められた幅より実質的に大きい幅を定めている
ことを特徴とする請求項４３に記載の電気ケーブル。
【請求項４５】
電気ケーブルにおいて、
長手方向の軸を有するケーブル外被と、
前記ケーブル外被の中で長手方向に向きを定められた複数の絶縁された導体のツイストペアと、
前記複数の絶縁された導体のツイストペア間に配置された第１、第２、および第３のセパレータとを備えていて、前記第１、第２、および第３のセパレータの各々は、反対側の第１および第２の端を有していて、
前記第１のセパレータは、実質的にまっすぐで、かつ前記ケーブル外被を第１および第２の半分に分けていて、
前記第２のセパレータは、実質的に曲がっていて、かつ前記第１の半分の中に位置していて、前記複数の導体のツイストペアのうちの少なくとも１組は、第１および第２のセパレータ間に位置していて、
前記第３のセパレータは、実質的に曲がっていて、かつ前記第２の半分の中に位置していて、前記複数の導体のツイストペアのうちの少なくとも１組は、第１および第３のセパレータ間に位置していて、
前記第１、第２、および第３のセパレータの前記第１の端は、互いに接しているので、
前記第１の端は、互いに隣接していて、導体のツイストペアは、その間には配置されていない
ことを特徴とする電気ケーブル。
【請求項４６】
電気ケーブルにおいて、
中心の長手方向の軸を定めているケーブル外被と、
前記ケーブル外被の中で長手方向に向きを定められた複数の絶縁された導体のツイストペアとを備えていて、前記絶縁された導体の各々は、幅を定めていて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、各前記絶縁された導体の幅より大きい幅を定めていて、前記フィラーエレメントは、前記ケーブル外被の中心の長手方向の軸から横にオフセットされた中心軸を有していて、前記フィラーエレメントは、隣接するケーブルからの異質のクロストークを減らし、前記複数の絶縁された導体のツイストペアは、芯を形成している少なくとも３組の絶縁された導体のツイストペアを含んでいて、かつ前記フィラーエレメントは、前記芯のまわりに巻きつけられていて、
さらに、前記ケーブル外被の中の前記絶縁された導体のツイストペア間に配置された少なくとも１つのセパレータを備えていて、前記絶縁された導体のツイストペア間でのクロストークを減らす
ことを特徴とする電気ケーブル。
【請求項４７】
前記複数の絶縁された導体のツイストペアは、第１、第２、第３および第４の絶縁された導体のツイストペアを含んでいて、
前記セパレータは、前記第１および第２の絶縁された導体のツイストペア間に配置されている
ことを特徴とする請求項４６に記載の電気ケーブル。
【請求項４８】
第２のセパレータが、前記ケーブル外被の中の前記第２および第３の絶縁された導体のツイストペア間に配置されている
ことを特徴とする請求項４７に記載の電気ケーブル。
【請求項４９】
第３のセパレータが、前記ケーブル外被の中の前記第１および第４の絶縁された導体のツイストペア間に配置されている
ことを特徴とする請求項４８に記載の電気ケーブル。
【請求項５０】
前記セパレータは、実質的にまっすぐか、または実質的に曲がっている
ことを特徴とする請求項４６に記載の電気ケーブル。
【請求項５１】
前記ケーブル外被は、前記中心の長手方向の軸を横切る断面が実質的に円形ではない外周を定めている
ことを特徴とする請求項４６に記載の電気ケーブル。
【請求項５２】
第２のフィラーエレメントが、前記ケーブル外被の中に配置されていて、
前記第２のフィラーエレメントは、前記ケーブル外被の前記中心の長手方向の軸から横にオフセットされた中心軸を有していて、
前記第２のフィラーエレメントは、前記絶縁された導体の各々の幅より大きい幅を定めている
ことを特徴とする請求項４６に記載の電気ケーブル。
【請求項５３】
前記フィラーエレメントの幅は、前記絶縁された導体の各々の幅の約２倍である
ことを特徴とする請求項４６に記載の電気ケーブル。
【請求項５４】
前記フィラーエレメントの少なくとも一部分は、導電材料で形成されている
ことを特徴とする請求項４６に記載の電気ケーブル。
【請求項５５】
電気ケーブルにおいて、
中心の長手方向の軸および実質的に円形ではない外周を定めているケーブル外被と、
前記ケーブル外被の中で長手方向に向きを定められた複数の絶縁された導体のツイストペアと、
前記ケーブル外被の中に配置され、かつ前記絶縁された導体のツイストペアのうちの少なくとも１組に隣接した位置に配置されたフィラーエレメントとを備えていて、前記フィラーエレメントは、前記ケーブル外被の中心の長手方向の軸から横にオフセットされた中心軸を有していて、前記フィラーエレメントは、前記中心軸を横切る断面が実質的に円形であり、前記フィラーエレメントは、隣接するケーブルからの異質のクロストークを減らし、前記複数の絶縁された導体のツイストペアは、共に撚り合わされていて、かつ前記フィラーエレメントは、前記複数の絶縁された導体のツイストペアに巻きつけられていて、かつ複数の絶縁された導体のツイストペアおよび前記フィラーエレメントのツイスト撚り長さは、ケーブルの長さ方向に沿って変化し、
さらに、前記ケーブル外被の中の前記複数の絶縁された導体のツイストペア間に配置されている少なくとも１つのセパレータを備えていて、前記複数の絶縁された導体のツイストペア間でのクロストークを減らす
ことを特徴とする電気ケーブル。
【請求項５６】
前記フィラーエレメントの撚り長さは、前記複数の絶縁された導体のツイストペアの撚り長さとは異なる
ことを特徴とする請求項５５に記載の電気ケーブル。
【請求項５７】
前記ケーブル外被の外周は均一ではない
ことを特徴とする請求項５５に記載の電気ケーブル。
【請求項５８】
前記フィラーエレメントは、誘電材料で形成されている
ことを特徴とする請求項５５に記載の電気ケーブル。
【請求項５９】
前記フィラーエレメントの一部は、金属で形成されている
ことを特徴とする請求項５５に記載の電気ケーブル。
【請求項６０】
電気ケーブルにおいて、
中心の長手方向の軸および実質的に円形ではない外周を定めているケーブル外被と、
前記ケーブル外被の中で長手方向に向きを定められた複数の絶縁された導体のツイストペアと、
前記ケーブル外被の中に配置され、かつ前記絶縁された導体のツイストペアのうちの少なくとも１組に隣接した位置に配置されたフィラーエレメントとを備えていて、前記フィラーエレメントは、前記ケーブル外被の中心の長手方向の軸から横にオフセットされた中心軸を有していて、前記フィラーエレメントは、前記中心軸を横切る断面が実質的に円形であり、前記フィラーエレメントは、隣接するケーブルからの異質のクロストークを減らし、前記複数の絶縁された導体のツイストペアは、共に撚り合わされていて、かつ前記フィラーエレメントは、前記複数の絶縁された導体のツイストペアに巻きつけられていて、かつ複数の絶縁された導体のツイストペアおよび前記フィラーエレメントのツイスト撚り長さは、ケーブルの長さ方向に沿って変化する
ことを特徴とする電気ケーブル。
【請求項６１】
電気ケーブルにおいて、
中心の長手方向の軸を定めているケーブル外被と、
前記ケーブル外被の中で長手方向に向きを定められた第１、第２、第３および第４の絶縁された導体のツイストペアを含む複数の絶縁された導体のツイストペアとを備えていて、前記絶縁された導体の各々は、幅を定めていて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、各前記絶縁された導体の幅より大きい幅を定めていて、前記フィラーエレメントは、前記ケーブル外被の中心の長手方向の軸から横にオフセットされた中心軸を有していて、前記フィラーエレメントは、隣接するケーブルからの異質のクロストークを減らし、
さらに、前記ケーブル外被の中の前記第１および第２の絶縁された導体のツイストペア間に配置された第１のセパレータを備えていて、前記絶縁された導体のツイストペア間でのクロストークを減らし、
さらに、前記ケーブル外被の中の前記第２および第３の絶縁された導体のツイストペア間に配置された第２のセパレータと、
前記ケーブル外被の中の前記第１および第４の絶縁された導体のツイストペア間に配置された第３のセパレータとを備えている
ことを特徴とする電気ケーブル。
【請求項６２】
電気ケーブルにおいて、
中心の長手方向の軸を定めているケーブル外被を備えていて、前記ケーブル外被は、前記中心の長手方向の軸を横切る断面が実質的に円形ではない外周を定めていて、
さらに、前記ケーブル外被の中で長手方向に向きを定められた複数の絶縁された導体のツイストペアを備えていて、前記絶縁された導体の各々は、幅を定めていて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、各前記絶縁された導体の幅より大きい幅を定めていて、かつ前記フィラーエレメントは、前記ケーブル外被の前記中心の長手方向の軸から横にオフセットされた中心軸を有していて、前記フィラーエレメントは、隣接するケーブルからの異質のクロストークを減らし、
さらに、前記ケーブル外被の中の前記絶縁された導体のツイストペア間に配置された少なくとも１つのセパレータを備えていて、前記絶縁された導体のツイストペア間でのクロストークを減らす
ことを特徴とする電気ケーブル。
【請求項６３】
電気ケーブルにおいて、
中心の長手方向の軸を定めているケーブル外被と、
前記ケーブル外被の中で長手方向に向きを定められた複数の絶縁された導体のツイストペアとを備えていて、前記絶縁された導体の各々は、幅を定めていて、
さらに、前記ケーブル外被の中に配置され、かつ前記絶縁された導体のツイストペアのうちの少なくとも１組に隣接した位置に配置されたフィラーエレメントを備えていて、前記フィラーエレメントは、各前記絶縁された導体の幅より大きい幅を定めていて、かつ前記フィラーエレメントは、前記ケーブル外被の前記中心の長手方向の軸から横にオフセットされた中心軸を有していて、前記フィラーエレメントは、隣接するケーブルからの異質のクロストークを減らし、
さらに、前記ケーブル外被の中の前記絶縁された導体のツイストペア間に配置された少なくとも１つのセパレータを備えていて、前記絶縁された導体のツイストペア間でのクロストークを減らし、前記セパレータは、実質的にまっすぐか、または実質的に曲がっている
ことを特徴とする電気ケーブル。
【請求項６４】
電気ケーブルにおいて、
中心の長手方向の軸を定めているケーブル外被と、
前記ケーブル外被の中で長手方向に向きを定められた複数の絶縁された導体のツイストペアと、
前記ケーブル外被の中に配置されたフィラーエレメントとを備えていて、前記フィラーエレメントは、前記ケーブル外被の前記中心の長手方向の軸から横にオフセットされた中心軸を有していて、かつ前記フィラーエレメントは、隣接するケーブルからの異質のクロストークを減らし、
さらに、前記ケーブル外被の中のほぼ中心で前記絶縁された導体のツイストペア間に配置された１つのセパレータを備えていて、前記絶縁された導体のツイストペア間でのクロストークを減らし、かつ前記フィラーエレメントは、前記単一のセパレータの外側に位置している
ことを特徴とする電気ケーブル。
【請求項６５】
前記セパレータは、実質的にクロスウェブ形状を有する単一のセパレータである
ことを特徴とする請求項６４に記載の電気ケーブル。
【請求項６６】
前記セパレータは一体成形部材である
ことを特徴とする請求項６５に記載の電気ケーブル。
【請求項６７】
前記ツイストペアの前記絶縁された導体の各々は、幅を定めていて、
前記フィラーエレメントは、前記絶縁された導体の各々の幅より大きい幅を定めている
ことを特徴とする請求項６４に記載の電気ケーブル。
【請求項６８】
前記ケーブル外被は、実質的に均一ではない形状を有している
ことを特徴とする請求項６４に記載の電気ケーブル。
【請求項６９】
前記セパレータは、前記ケーブル外被の中に少なくとも第１および第２の象限を形成し、かつ前記複数の絶縁された導体のツイストペアの各々は、前記第１および第２の象限のうちの１つの中に位置している
ことを特徴とする請求項６４に記載の電気ケーブル。
【請求項７０】
第２のフィラーエレメントが、前記ケーブル外被の中に配置されていて、
前記第２のフィラーエレメントは、前記ケーブル外被の前記中心の長手方向の軸から横にオフセットされた中心軸を有していて、
前記第２のフィラーエレメントは、前記絶縁された導体のツイストペアの１組の幅より実質的に大きい幅を定めている
ことを特徴とする請求項６４に記載の電気ケーブル。
【請求項７１】
前記フィラーエレメントは内側および外側部分を有していて、前記内側部分は中空である
ことを特徴とする請求項６４に記載の電気ケーブル。
【請求項７２】
前記フィラーエレメントは内側および外側部分を有していて、前記内側および外側部分は異なる材料で形成されている
ことを特徴とする請求項６４に記載の電気ケーブル。
【請求項７３】
前記内側および外側部分のうちの少なくとも１つは金属で形成されている
ことを特徴とする請求項７２に記載の電気ケーブル。
【請求項７４】
電気ケーブルにおいて、
中心の長手方向の軸を定めているケーブル外被と、
前記ケーブル外被の中で長手方向に向きを定められた複数の絶縁された導体のツイストペアと、
前記ケーブル外被の中で前記複数の絶縁された導体のツイストペアのうちの少なくとも１組に隣接して配置されたフィラーエレメントとを備えていて、前記フィラーエレメントは、前記ケーブル外被の前記中心の長手方向の軸から横にオフセットされた中心軸を有していて、前記フィラーエレメントは、前記中心軸を横切る断面が実質的に円形で、かつ内側および外側部分を定めていて、前記内側部分は中空であり、かつ前記フィラーエレメントは、隣接するケーブルからの異質のクロストークを減らしている
ことを特徴とする電気ケーブル。
【請求項７５】
前記ツイストペアの前記絶縁された導体の各々は、幅を定めていて、
前記外側部分の直径は、前記絶縁された導体の各々の幅より大きい
ことを特徴とする請求項７４に記載の電気ケーブル。
【請求項７６】
前記ケーブル外被の中の前記複数の絶縁された導体のツイストペア間に配置されたセパレータを更に備えていて、前記絶縁された導体のツイストペア間でのクロストークを減らす
ことを特徴とする請求項７４に記載の電気ケーブル。
【請求項７７】
前記セパレータは、実質的にクロスウェブ形状を有する単一のセパレータである
ことを特徴とする請求項７５に記載の電気ケーブル。
【請求項７８】
前記ケーブル外被は、実質的に均一ではない形状を有している
ことを特徴とする請求項７５に記載の電気ケーブル。
【請求項７９】
前記フィラーエレメントの前記外側部分は、プラスチック材料で形成されている
ことを特徴とする請求項７４に記載の電気ケーブル。
【請求項８０】
電気ケーブルにおいて、
中心の長手方向の軸および実質的に円形ではない外周を定めているケーブル外被と、
前記ケーブル外被の中で長手方向に向きを定められた複数の絶縁された導体のツイストペアと、
前記ケーブル外被の中で前記複数の絶縁された導体のツイストペアのうちの少なくとも１組に隣接して配置されたフィラーエレメントとを備えていて、前記フィラーエレメントは、前記ケーブル外被の前記中心の長手方向の軸から横にオフセットされた中心軸を有していて、前記フィラーエレメントは、前記中心軸を横切る断面が実質的に円形で、かつ内側および外側部分を定めていて、前記内側および外側部分は、異なる材料で形成されていて、前記フィラーエレメントは、隣接するケーブルからの異質のクロストークを減らしている
ことを特徴とする電気ケーブル。
【請求項８１】
前記ツイストペアの前記絶縁された導体の各々は、幅を定めていて、
前記外側部分の直径は、前記絶縁された導体の各々の幅より大きい
ことを特徴とする請求項８０に記載の電気ケーブル。
【請求項８２】
前記内側および外側部分は、発泡または固体エチレンクロロトリフルオロエチレン共重合体、ポリ塩化ビニル、弗素化エチレンプロピレン、およびポリマー樹脂から成るグループから選択される材料で形成されている
ことを特徴とする請求項８０に記載の電気ケーブル。
【請求項８３】
前記ケーブル外被の中の前記複数の絶縁された導体のツイストペア間に配置されたセパレータを更に備えていて、前記絶縁された導体のツイストペア間でのクロストークを減らす
ことを特徴とする請求項８０に記載の電気ケーブル。
【請求項８４】
前記セパレータは、実質的にクロスウェブ形状を有する単一のセパレータである
ことを特徴とする請求項８２に記載の電気ケーブル。
【請求項８５】
前記ケーブル外被の中の前記複数の絶縁された導体のツイストペア間に配置された第１、第２、および第３のセパレータを更に備えていて、その間でのクロストークを減らし、
前記第１のセパレータは実質的にまっすぐであり、かつ前記第２および第３のセパレータは実質的に曲がっている
ことを特徴とする請求項８０に記載の電気ケーブル。
【請求項８６】
前記フィラーエレメントの前記内側および外側部分のうちの少なくとも１つは、金属で形成されている
ことを特徴とする請求項８０に記載の電気ケーブル。
【発明の詳細な説明】
【技術分野】
【０００１】
本出願は、２００５年３月２４日に出願された同時係属中の米国特許出願第１１／０８７，５７１号の一部継続出願であり、これは、Roger Liqueらによって２００４年１２月１６日に出願された米国特許出願第１１／０１２，１６７号の一部継続出願であり、その内容は、参照によりここで本願明細書に組み込まれるものとする。
【０００２】
本発明は、ケーブル間での異質のクロストーク（alien crosstalk）を減らす電気ケーブルに関する。より詳しくは、電気ケーブルの中に配置されたフィラーエレメント（filler element）が、隣接するケーブル間での異質のクロストークを減らす。各ケーブルの中に設けられたセパレータが、ケーブルの導体間でのクロストークを減らす。
【背景技術】
【０００３】
ケーブルシステムの中で一緒に束にされた電気ケーブル間での干渉は、ケーブルシステムによるデータ伝送の効率を低下させる。異質の近端クロストーク（ANEXT）および異質の遠端クロストーク（AFEXT）ノイズは、隣接するケーブルの絶縁された導体のツイストペア間での電気的アンバランスによって引き起こされる。ANEXTおよびAFEXTは、伝送ノイズであり、これは、例えばローカルエリアネットワークのためのケーブル送信システムにおいて、信号対雑音比(SNR)およびビット誤り率(BER)を増加させる可能性がある。
【発明の開示】
【発明が解決しようとする課題】
【０００４】
具体的には、１本のケーブルのツイストペアの中の信号電流のいくつかが、信号経路の外部で、かつ２組のペア間の回路（circuit）の経路に沿った他のケーブルの他のツイストペアと結合するとき、ANEXTおよびAFEXTは起こる。そのノイズは、最初の信号経路の外部のツイストペアの中の信号を損なう。ノイズを発しているツイストペアと、受けているツイストペアとの間の回路が、１本のケーブルの境界を出て、もう１本のケーブルの境界を横切るとき、このノイズは異質のクロストークになる。クロストークは、ケーブル自体の絶縁された導体のツイストペア間でも起こる。
【課題を解決するための手段】
【０００５】
本発明によれば、中心の長手方向の軸を定めているケーブル外被と、ケーブル外被の中で長手方向に向きを定められた複数の絶縁された導体のツイストペアとを備えた電気ケーブルが提供される。絶縁された導体のツイストペアの各々は、幅を有している。フィラーエレメントは、ケーブル外被の中に配置され、かつ絶縁された導体のツイストペアのうちの少なくとも１組に隣接した位置に配置されている。フィラーエレメントは、絶縁された導体のツイストペアの各々の幅より実質的に大きい幅を定めている。フィラーエレメントは、ケーブル外被の中心の長手方向の軸から横にオフセットされた中心軸を有している。フィラーエレメントは、隣接するケーブルからの異質のクロストークを減らす。セパレータが、前記ケーブル外被の中の絶縁された導体のツイストペア間に配置されていて、絶縁された導体のツイストペア間でのクロストークを減らす。
【０００６】
本発明は、また、中心の長手方向の軸および実質的に円形ではない外周を定めているケーブル外被を備えた電気ケーブルを提供する。第１、第２、第３および第４の絶縁された導体のツイストペアは、ケーブル外被の中で長手方向に向きを定められている。絶縁された導体のツイストペアの各々は、幅を有している。フィラーエレメントは、ケーブル外被の中に配置され、かつ絶縁された導体のツイストペアのうちの少なくとも１組に隣接した位置に配置されている。フィラーエレメントは、ケーブル外被の中心の長手方向の軸から横にオフセットされた中心軸を有している。フィラーエレメントは、中心軸を横切る断面が実質的に円形で、かつ各絶縁された導体のツイストペアの幅より実質的に大きい直径を定めている。フィラーエレメントは、隣接するケーブルからの異質のクロストークを減らす。セパレータが、ケーブル外被の中の第１および第２の絶縁された導体のツイストペア間に配置されていて、絶縁された導体のツイストペア間でのクロストークを減らす。
【０００７】
本発明は、また、長手方向の軸を定めているケーブル外被と、ケーブル外被の中で長手方向に向きを定められた複数の絶縁された導体のツイストペアとを備えた電気ケーブルを提供する。複数の絶縁された導体のツイストペアは、撚り合わされて、第１の撚り長さを定めている螺旋の芯を形成する。フィラーエレメントは、ケーブル外被の中に配置されていて、螺旋の芯のまわりに巻きつけられている。フィラーエレメントは、螺旋の芯の第１の撚り長さより大きい第２の撚り長さを定めている。
【０００８】
本発明によれば、中心の長手方向の軸を定めているケーブル外被と、ケーブル外被の中で長手方向に向きを定められた複数の絶縁された導体のツイストペアとを備えた電気ケーブルが提供される。絶縁された導体のツイストペアの各々は、幅を有している。フィラーエレメントは、ケーブル外被の中に配置され、かつ絶縁された導体のツイストペアのうちの少なくとも１組に隣接した位置に配置されている。フィラーエレメントは、各絶縁された導体のツイストペアの幅より実質的に大きい幅を定めている。フィラーエレメントは、ケーブル外被の中心の長手方向の軸から横にオフセットされた中心軸を有している。フィラーエレメントは、隣接するケーブルからの異質のクロストークを減らす。セパレータが、前記ケーブル外被の中の絶縁された導体のツイストペア間に配置されていて、絶縁された導体のツイストペア間でのクロストークを減らす。
【０００９】
本発明は、また、中心の長手方向の軸および実質的に円形ではない外周を定めているケーブル外被を備えた電気ケーブルを提供する。第１、第２、第３および第４の絶縁された導体のツイストペアが、ケーブル外被の中で長手方向に向きを定められている。絶縁された導体のツイストペアの各々は、幅を有している。フィラーエレメントは、ケーブル外被の中に配置され、かつ絶縁された導体のツイストペアのうちの少なくとも１組に隣接した位置に配置されている。フィラーエレメントは、ケーブル外被の中心の長手方向の軸から横にオフセットされた中心軸を有している。フィラーエレメントは、中心軸を横切る断面が実質的に円形で、かつ各絶縁された導体のツイストペアの幅より実質的に大きい直径を定めている。フィラーエレメントは、隣接するケーブルからの異質のクロストークを減らす。セパレータが、ケーブル外被の中の第１および第２の絶縁された導体のツイストペア間に配置されていて、絶縁された導体のツイストペア間でのクロストークを減らす。
【００１０】
本発明は、また、長手方向の軸を定めているケーブル外被と、ケーブル外被の中で長手方向に向きを定められた複数の絶縁された導体のツイストペアとを備えた電気ケーブルを提供する。複数の絶縁された導体のツイストペアは、撚り合わされて、第１の撚り長さを定めている螺旋の芯を形成する。フィラーエレメントは、ケーブル外被の中に配置されていて、螺旋の芯のまわりに巻きつけられている。フィラーエレメントは、螺旋の芯の第１の撚り長さより大きい第２の撚り長さを定めている。
【００１１】
本発明の効果および顕著な特徴は、以下の詳細な説明から明らかになるが、これは、添付の図面と共に、本発明の好ましい実施形態を開示する。
【００１２】
本発明およびその多くの付随する効果のより完全な理解は、以下の詳細な説明を添付の図面と共に考慮して参照することにより、同じことがより良く理解されるので、容易に得られる。
【発明を実施するための最良の形態】
【００１３】
図１および２を参照すると、本発明の第１の実施形態による電気ケーブル１００は、複数の絶縁された導体のツイストペア１０２と、隣接するケーブル間での異質のクロストークを減らすためのフィラーエレメント１０４とを備えている。より詳しくは、フィラーエレメント１０４は、ケーブル１００の横断面の１本の軸１０６に沿ってケーブルの直径を増加させ、効果的に、ケーブル１００の絶縁された導体のペア１０２と、隣接するケーブルの絶縁された導体のツイストペア（図示せず）との間の正味の距離を増加させている。
【００１４】
図２に示すように、電気ケーブル１００は、ケーブル外被２０２を有していて、これは、このケーブル外被２０２の内周２０６によって定められる内部領域２０４の中に、フィラーエレメント１０４と、複数の絶縁された導体のツイストペア１０２とを封入している。複数の絶縁された導体のツイストペア１０２は、４組の絶縁された導体のペア２０８、２１０、２１２、および２１４を含んでいることが好ましいが、電気ケーブル１００は、いかなる数の絶縁された導体のツイストペアを含んでいてもよい。ケーブル外被２０２は、例えばPVC、TA-９１０、またはポリオレフィン低煙（low smoke）ゼロハロゲンのような誘電材料で形成され得る。
【００１５】
各絶縁された導体のツイストペア２０８、２１０、２１２、および２１４は、幅２１６を定めていて、ケーブル外被２０２の第１の部分２１８の中で支持されている。ケーブル外被２０２は、ほぼ中心の長手方向の軸２２０を定めている。図１に示すように、ケーブル１００は、中心の長手方向の軸２２０のまわりに巻きつけられ得る。第２の部分２２２が、フィラーエレメント１０４を支持している。フィラーエレメント１０４は、ほぼ円筒形の棒の形状を有していて、実質的に円形の断面形状を持ち、幅または直径２２４を定めていて、かつ中心軸２２６を有している。第１および第２の部分２１８および２２２は、ほぼ連続的である。
【００１６】
第１の部分２１８の幅２２８は、第２の部分２２２の幅２３０より実質的に大きく、これによりケーブル外被２０２の不均一または不均衡な外周２３２をつくっていて、その結果、図２に示すように、電気ケーブル１００の長手方向の軸２２０を横切る断面の形状は、実質的に円形ではない。第１の部分２１８の幅２２８は、第２の部分２２２の幅２３０の約２倍であることが好ましい。しかし、第１の部分２１８が、絶縁された導体のツイストペア１０２を収容することができ、かつ第２の部分２２２が、フィラーエレメント１０４を収容することができる限り、第１の部分２１８の幅２２８は、第２の部分２２２の幅２３０に対して、いかなるサイズであってもよく、例えば第２の部分２２２の幅２３０と同じか、またはわずかに大きくてもよい。外周２３２は、非対称で、より大きい第１の部分２１８と、より小さい第２の部分２２２との間に移行領域２３４を定めている。
【００１７】
フィラーエレメント１０４の幅２２４は、絶縁された導体のツイストペア２０８、２１０、２１２および２１４の各々の幅２１６より実質的に大きい。フィラーエレメント１０４の中心軸２２６は、ケーブル１００の中心の長手方向の軸２２０から横にオフセットされている。ケーブル１００の軸２２０と、フィラーエレメント１０４の軸２２６とを、それぞれオフセットさせることによって、かつフィラーエレメント１０４の寸法により、軸１０６に沿ったケーブル１００の直径は増加する。フィラーエレメント１０４の幅２２４が、個々の絶縁された導体のペアの幅２１６より大きいので、ペア２０８、２１９、２１２および２１４がフィラーエレメント１０４を取り囲むことは、防止され、その結果、フィラーエレメント１０４の中心軸２２６と、電気ケーブル１００の中心の長手方向の軸２２０とが同軸になることを防止している。従って、電気ケーブル１００の円形ではない断面形状は維持される。電気ケーブルの不均衡な形状および軸１０６に沿った直径の増加は、隣接するケーブル１００の絶縁された導体のツイストペアからの距離を増加させることによって、隣接するケーブル１００間での異質のクロストークを減らす。
【００１８】
フィラーエレメント１０４は、好ましくは円筒形の棒状に成形されるが、フィラーエレメント１０４の横断面は、円形、楕円形または多角形であってもよい。フィラーエレメント１０４は、単一の材料または複数の材料で形成され得る。例えば、フィラーエレメント１０４は、誘電材料、例えばポリプロピレン、ポリオレフィン絶縁体、剛性ＰＶＣ絶縁体、または低煙ＰＶＣ絶縁体でできていてもよい。代替案として、フィラーエレメント１０４は、誘電材料および導電材料の両方でできていてもよい。例えば、フィラーエレメント１０４は、銅の芯と、ＦＥＰ絶縁体またはフッ素樹脂のうちのいずれか１つ、低煙ＰＶＣ絶縁体、剛性絶縁体、ポリオレフィン絶縁体、またはポリプロピレン絶縁体とで形成されていてもよい。
【００１９】
図３を参照すると、本発明の第２の実施形態による電気ケーブル３００は、第２のフィラーエレメント３０４がケーブル外被３０２の第３の部分３３６の中に配置されていることを除いては、第１の実施形態の電気ケーブル１００と同じである。第３の部分３３６は、第２の部分２２２と実質的に同じサイズであり、第２のフィラーエレメント３０４は、第１のフィラーエレメント１０４と実質的に同じサイズである。ケーブル外被３０２の外周３３２は、均一ではなく、円形ではない横断面を有している。しかし、第１の実施形態とは異なり、外周は、図３の垂直軸について実質的に対称である。フィラーエレメント１０４と同様に、第２のフィラーエレメント３０４は、ケーブル３００の中心の長手方向の軸３２０からオフセットされた中心軸３２６を有している。第２のフィラーエレメント３０４は、軸１０６に沿って、隣接しているケーブル間の距離を更に増加させ、隣接するケーブルによって引き起こされる異質のクロストークを減らす。
【００２０】
図４を参照すると、本発明の第４実施態様による電気ケーブル４００は、ケーブル外被４０５の中で支持された、フィラーエレメント４０４と、複数の絶縁された導体のツイストペアとを備えている。フィラーエレメント４０４は、それがより大きいこと、好ましくは各絶縁された導体のツイストペア２０８、２１０、２１２および２１４の幅２１６の約２倍であることを除いては、フィラーエレメント１０４と同様である。第１および第２の実施形態のケーブル１００および３００とは異なり、ケーブル４００のケーブル外被４０５は、フィラーエレメント４０４および複数のツイストペア１０２を支持するための単一の部分４１８を有している。フィラーエレメント４０４は、また、導電性の芯４０８を備えている。
【００２１】
第１および第２の実施形態のケーブル１００および３００と同様に、ケーブル４００の断面形状は、円形ではなく、例えば楕円形である。ケーブル４００の円形ではない形状は、ケーブル外被４０５の均一な外周４３２を定めている。ケーブル外被４０５の円形ではない断面形状は、ケーブル４００の１本の軸４０６に沿って、ケーブル４００の直径を増加させている。フィラーエレメント４０４の中心軸４２６は、ケーブル４００の中心の長手方向の軸４２０からオフセットされている。フィラーエレメント４０４の幅または直径４２４は、各絶縁された導体のツイストペア２０８、２１０、２１２、および２１４の幅２１６の約２倍であるので、ペア２０８、２１０、２１２、および２１４がフィラーエレメント４０４を取り囲むことは、防止され、その結果、フィラーエレメント４０４は、ケーブル４００の中心の長手方向の軸４２０からオフセットされた状態を維持する。第１および第２の実施形態と同様に、このようにケーブル４００を形成することによって、隣接するケーブルの絶縁された導体のツイストペアとの間の距離は増加され、これにより異質のクロストークが減少する。
【００２２】
図５および６を参照すると、電気ケーブル５００および６００は、それぞれ、複数のセパレータ５４０、５４２、５４４（図５）および６４０、６４２、６４４（図６）が、絶縁された導体のツイストペア２０８、２１０、２１２および２１４の間に配置されていて、隣接するペアとの間でのクロストークを減らすことを除いて、第１および第２の実施形態の電気ケーブル１００および３００と同じである。３つのセパレータが用いられることが好ましいが、単一のセパレータが用いられることを含めて、いかなる数のセパレータが用いられてもよい。
【００２３】
図５に示すように、３つのセパレータ５４０、５４２、および５４４は、ケーブル１００の内部領域２０４を４つの象限に分け、各象限が、絶縁された導体のツイストペア２０８、２１０、２１２および２１４のうちの１組を支持している。同様に、３つのセパレータ６４０、６４２、および６４４は、ケーブル３００の内部領域２０４を分けている。それは、ツイストペア２０８、２１０、２１２、および２１４を４つの象限に分離し、これによりツイストペア２０８、２１０、２１２、および２１４を相互に分離し、ツイストペア間でのクロストークを減らす。
【００２４】
各第１のセパレータ５４０および６４０は、実質的にまっすぐで、それらのそれぞれのケーブル５００および６００の内部領域２０４を、第１および第２の半分５４６、６４６および５４８、６４８に分け、２組の絶縁された導体のツイストペア２０８および２１４が、第１の半分５４６、６４６の中に配置され、かつ残りの２組のペア２１０および２１２が、第２の半分５４８、６４８の中に配置されている。第２のセパレータ５４２および６４２の各々は、それぞれのケーブルの第１の半分５４６および６４６の中に配置されている。同様に、第３のセパレータ５４４および６４４の各々は、それぞれ、第２の半分５４６および６４６の中に配置されている。各第２のセパレータ５４２および６４２は、ツイストペア２０８と２１４を分けていて、各第３のセパレータ５４４および６４４は、ツイストペア２１０と２１２を分けている。セパレータ５４０、５４２、５４４および６４０、６４２、６４４は、好ましくはポリマー材、例えば固体または発泡ポリマーテープで形成されている。セパレータ５４０、５４２、５４４および６４０、６４２、６４４は、２００４年１２月１６日に出願されたReduced Alien Crosstalk Electrical Cableという題のLiqueらによる同時係属中の普通に所有された（commonly owned）米国特許出願第１１／０１２，１４９号の中で開示された３つのセパレータテープと似ていて、その内容は、ここでの参照により本願に組み込まれるものとする。
【００２５】
図７Ａおよび７Ｂを参照すると、上記のケーブルの実施形態の各々は、好ましくは、このような方法で撚り合わされているので、フィラーエレメントが、絶縁された導体のツイストペア２０８、２１０、２１２および２１４と絡まることが防止される。例えば、ケーブル１００のケーブル外被２０２の中の絶縁された導体のツイストペア２０８、２１０、２１２、２１４は、ほぼ軸２２０（図２）のまわりに共に撚り合わされていて、撚り合わされた、または螺旋の芯７０２を形成している。セパレータ５４０、５４２、５４４、６４０、６４２および６４４と同様のセパレータは、絶縁された導体のツイストペア２０８、２１０、２１２、２１４の間に設けられ、これらのペアと共に螺旋の芯７０２の一部として撚り合わされる。フィラーエレメント１０４は、螺旋の芯７０２のまわりに巻きつけられる。
【００２６】
図７Ｂに示すように、螺旋の芯７０２は、第１の頂点７０６と第２の頂点７０８との間に、芯撚り（lay）長さ７０４を定めている（螺旋の芯７０２を表す単一の絶縁された導体のツイストペア２０８が示されている）。同様に、フィラーエレメント１０４は、フィラーエレメント１０４の第１の頂点７１２と第２の頂点７１４との間に定義されるフィラー撚り長さ７１０を定めている。フィラー撚り長さ７１０は、芯撚り長さ７０４より大きく、これによりフィラーエレメント１０４が螺旋の芯７０２と、かみ合うか、または絡まることを防止する。好ましくは、フィラー撚り長さ７１０は、芯撚り長さ７０４より実質的に大きい。例えば、芯撚り長さ７０４が約１．５〜３インチであって、かつフィラー撚り長さ７１０が約２．５〜４インチであってもよい。芯撚り長さ７０４およびフィラー撚り長さ７１０の各々は、ケーブルの長さ方向に沿って変化してもよい。ペア２０８、２１０、２１２、および２１４と、フィラーエレメント１０４とを実質的に同時に撚り合わせて、かつ芯撚り長さ７０４よりフィラー撚り長さ７１０の方が大きい状態を維持するために、横材（図示せず）が、ケーブルを撚り合わせるための従来の機械に付加される。横材（traverse）は、芯７０２が撚り合わされているとき、前後にフィラーエレメント１０４を動かす。前後にフィラーエレメント１０４を動かすと、ペア２０８、２１０、２１２および２１４が共に撚り合わされて、かつフィラーエレメント１０４が、これらのペアのまわりに巻きつくことが確実になり、これにより、フィラーエレメント１０４の、より長い、撚り長さ７１０がつくられる。フィラーエレメント１０４が、絶縁された導体のツイストペア２０８、２１０、２１２および２１４と絡まるのを防止することによって、フィラーエレメント１０４は、これらのペアの外側にとどまり、これにより隣接するケーブルとの間に十分な距離が保たれ、異質のクロストークが減る。
【００２７】
図８を参照すると、本発明の他の実施形態による電気ケーブル８００は、複数のセパレータ５４０、５４２、および５４４の代わりに、単一のセパレータ８４０を用いてワイヤペア２０８、２１０、２１２、および２１４を分離していることを除いては、ケーブル５００と同様である。セパレータ８４０は、一体成形部材（unitary one-piece member）として形成されてもよく、中心軸８２０に沿って伸びている。セパレータ８４０は、横部材８４２および８４４を含んでいて、実質的にクロスウェブ（crossweb）形状を形成していて、それは、通常、ケーブル外被８０２の内部領域８０４を４つの象限８４６、８４８、８５０、および８５２に分けている。ワイヤペア２０８は第１象限８４６に配置され、ワイヤペア２１０は第２象限８４８に配置され、ワイヤペア２１２は第３象限８５０に配置され、かつワイヤペア２１４は第４象限８５２に配置されている。
【００２８】
ケーブル８００のフィラーエレメント８０４は、セパレータ８４０とケーブル外被８０２との間に配置されていて、すなわちフィラーエレメント８０４は、セパレータ８４０の外側に配置されている。フィラーエレメント８０４は、セパレータ８４０のいずれの横部材８４２および８４４にも整列させることができ、これによりケーブル外被８０２の中に不均一な形状を形成する。
【００２９】
フィラーエレメント８０４は、内側および外側部分８６０および８６２を含んでいてもよい。図８に示すように、内側部分８６０には、いかなる材料も無く、従ってフィラーエレメント８０４は中空であってもよい。代替案として、内側および外側部分８６０および８６２は、フィラーエレメント４０４（図４）と同様に、異なる材料で形成されてもよい。例えば、内側部分および外側部分８６０および８６２は、発泡または固体ＶＡＴＡＲ（エチレンクロロトリフルオロエチレン共重合体）、ポリ塩化ビニル、例えば低煙半剛性ポリ塩化ビニル、弗素化エチレンプロピレン、任意のタイプのポリマー樹脂などで形成されてもよい。
【００３０】
個別の実施形態が本発明を説明するために選ばれたが、添付した請求項の中で定義した本発明の範囲から逸脱することなく、さまざまな変更および修正がその中でなされ得ることは、当業者であれば理解するであろう。例えば、１つ、２つ、または２つ以上のフィラーエレメントを含む、いかなる数のフィラーエレメントが、ケーブルに用いられてもよい。
【図面の簡単な説明】
【００３１】
【図１】本発明の第１の実施形態による電気ケーブルの斜視図である。
【図２】図１に示した電気ケーブルの断面立面図であり、ケーブル外被によって被われた複数の絶縁された導体のツイストペアおよびフィラーエレメントを示している。
【図３】本発明の第２の実施形態による電気ケーブルの断面立面図である。
【図４】本発明の第３の実施形態による電気ケーブルの断面立面図である。
【図５】絶縁された導体のツイストペアを分離するために複数のセパレータが備えられていること以外は図２と同様の電気ケーブルの断面立面図である。
【図６】絶縁された導体のツイストペアを分離するために複数のセパレータが備えられていること以外は図３と同様の電気ケーブルの断面立面図である。
【図７Ａ】本発明の実施形態による電気ケーブルの斜視図であり、ケーブルの撚り合わされた芯およびフィラーエレメントを示している。
【図７Ｂ】図７Ａに示したケーブルの絶縁された導体のツイストペアおよび巻きつけられたフィラーエレメントの図であり、絶縁された導体のツイストペアと、フィラーエレメントとの異なる撚り長さを示している。
【図８】本発明の他の実施形態による電気ケーブルの断面立面図であり、クロスウェブセパレータと、内側および外側部分を有するフィラーエレメントとを示している。
【符号の説明】
【００３２】
１００  電気ケーブル
１０２  絶縁された導体のツイストペア
１０４  フィラーエレメント
１０６  軸
【図１】
2008524800.tif 000003
【図２】
2008524800.tif 000004
【図３】
2008524800.tif 000005
【図４】
2008524800.tif 000006
【図５】
2008524800.tif 000007
【図６】
2008524800.tif 000008
【図７Ａ】
2008524800.tif 000009
【図７Ｂ】
2008524800.tif 000010
【図８】
2008524800.tif 000011
【国際調査報告】
2008524800.tif 000012
2008524800.tif 000013